(57)【要約】【課題】光伝送路の伝送損失を増加させること無く、受光素子まで到達する漏洩光の光量を増加させることが可能な通信光検知構造を提供する。【解決手段】通信光１０１を伝送する光伝送路１０２と、光伝送路１０２を収容するフェルール１０３と、フェルール１０３に収容された光伝送路１０２の途中に形成されると共に通信光１０１の一部を漏洩光１０４として取り出す光取出部１０５と、フェルール１０３び外周へ漏れる漏洩光１０４を受光する受光素子１０６と、を備え、フェルール１０３は、光を直進光として透過させる非散乱材料からなると共に受光素子１０６を対向させた位置に光散乱部１０９を有する通信光検知構造１００である。【選択図】図１
2015184426.tif 000002
【特許請求の範囲】
【請求項１】
通信光を伝送する光伝送路と、
前記光伝送路を収容するフェルールと、
前記フェルールに収容された前記光伝送路の途中に形成されると共に前記通信光の一部を漏洩光として取り出す光取出部と、
前記フェルールの外周へ漏れる前記漏洩光を受光する受光素子と、
を備え、
前記フェルールは、光を直進光として透過させる非散乱材料からなると共に前記受光素子を対向させた位置に光散乱部を有することを特徴とする通信光検知構造。
【請求項２】
前記光散乱部は、前記フェルールの表面を粗面化して形成される請求項１に記載の通信光検知構造。
【請求項３】
前記光散乱部は、前記フェルールの表面に光散乱体を配置して形成される請求項１に記載の通信光検知構造。
【請求項４】
前記フェルールは、石英ガラスからなる請求項１から３の何れか一項に記載の通信光検知構造。
【発明の詳細な説明】
【技術分野】
【０００１】
本発明は、通信光を検知して光伝送路の使用／不使用の状態を目視で確認するための通信光検知構造に関する。
【背景技術】
【０００２】
光通信関連設備では、光伝送路の健全性を監視したり、人為的なコネクタの誤抜を防止したりすべく、不可視光領域にある通信光を検知して光伝送路の使用／不使用の状態（以下、通信状態という）を確認するための通信光検知技術が使用されている。
【０００３】
この通信光検知技術を具現化したものとしては、図２に示すように、光伝送路２０１の途中を切り欠いて形成された光検知用溝等からなる光取出部２０２で、光伝送路２０１で伝送されている通信光２０３の一部を漏洩光２０４として取り出し、その漏洩光２０４を受光素子２０５で受光することにより、光伝送路２０１で通信光２０３が伝送されているか否かを検知し、人間が目視で確認することができる形態で光伝送路２０１の通信状態を出力する通信光検知構造２００が知られている（例えば、特許文献１から特許文献４を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００５】
前述の通り、光取出部２０２は、光伝送路２０１の途中を切り欠いて形成された光検知用溝等からなり、光取出部２０２が形成されている光伝送路２０１の一部は、他の部分と比較して機械的な強度が低くなっているため、フェルール２０６に収容されて保護されていることが多い。
【０００６】
フェルール２０６は、通常、機械的な強度が高いジルコニアにより形成されており、ジルコニアが光を散乱させる光散乱媒質であることから、光取出部２０２で取り出された漏洩光２０４が光伝送路２０１とフェルール２０６との境界面に到達した時点で四方八方に散乱されることになり、受光素子２０５まで到達する漏洩光２０４は、光取出部２０２で取り出された漏洩光２０４の僅か一部である。
【０００７】
しかしながら、漏洩光２０４は、通信光２０３の一部が光取出部２０２で取り出されたものであるため、より多くの通信光２０３を漏洩光２０４として取り出すことで受光素子２０５まで到達する漏洩光２０４の光量を増加させようとすると、光伝送路２０１の伝送損失が増加してしまう。
【０００８】
そこで、本発明の目的は、光伝送路の伝送損失を増加させること無く、受光素子まで到達する漏洩光の光量を増加させることが可能な通信光検知構造を提供することにある。
【課題を解決するための手段】
【０００９】
この目的を達成するために創案された本発明は、通信光を伝送する光伝送路と、前記光伝送路を収容するフェルールと、前記フェルールに収容された前記光伝送路の途中に形成されると共に前記通信光の一部を漏洩光として取り出す光取出部と、前記フェルールの外周へ漏れる前記漏洩光を受光する受光素子と、を備え、前記フェルールは、光を直進光として透過させる非散乱材料からなると共に前記受光素子を対向させた位置に光散乱部を有する通信光検知構造である。
【００１０】
前記光散乱部は、前記フェルールの表面を粗面化して形成されると良い。
【００１１】
前記光散乱部は、前記フェルールの表面に光散乱体を配置して形成されても良い。
【００１２】
前記フェルールは、石英ガラスからなると良い。
【発明の効果】
【００１３】
本発明によれば、光伝送路の伝送損失を増加させること無く、受光素子まで到達する漏洩光の光量を増加させることが可能な通信光検知構造を提供することができる。
【図面の簡単な説明】
【００１４】
【図１】本発明に係る通信光検知構造を示す概略断面図である。
【図２】従来技術に係る通信光検知構造を示す概略断面図である。
【発明を実施するための形態】
【００１５】
以下、本発明の好適な実施の形態を添付図面にしたがって説明する。
【００１６】
図１に示すように、本発明の好適な実施の形態に係る通信光検知構造１００は、通信光１０１を伝送する光伝送路１０２と、光伝送路１０２を収容するフェルール１０３と、フェルール１０３に収容された光伝送路１０２の途中に形成されると共に通信光１０１の一部を漏洩光１０４として取り出す光取出部１０５と、フェルール１０３の外周へ漏れる漏洩光１０４を受光する受光素子１０６と、を備えている。
【００１７】
光伝送路１０２は、通信光１０１を閉じ込めるコア１０７と、コア１０７よりも屈折率が低いクラッド１０８と、を備えており、コア１０７とクラッド１０８との境界面で通信光１０１を全反射させることにより、通信光１０１を光伝送路１０２の全長に亘って伝送するものである。
【００１８】
フェルール１０３は、光取出部１０５が形成された光伝送路１０２を保護したり、通信光検知構造１００を光コネクタ部に適用する場合に光伝送路１０２を相互に位置調整したりするものである。
【００１９】
光取出部１０５は、例えば、光伝送路１０２の途中を切り欠いて形成された光検知用溝からなり、光伝送路１０２で意図的な伝送損失を発生させることにより、通信光１０１の一部を漏洩光１０４として取り出すものである。
【００２０】
受光素子１０６は、例えば、通信光検知器に搭載されており、漏洩光１０４を受光して光伝送路１０２で通信光１０１が伝送されているか否かを検知するものである。この受光素子１０６は、漏洩光１０４がフェルール１０３とその外部に存在する空気との境界面に到達する光取出位置に配置されている。
【００２１】
さて、通信光検知構造１００では、フェルール１０３は、光を直進光として透過させる非散乱材料、例えば、石英ガラス、ガラスと屈折率が整合された樹脂、又は透明なプラスチック等からなる。これにより、光取出部１０５で取り出された漏洩光１０４が光伝送路１０２とフェルール１０３との境界面に到達した時点で四方八方に散乱されずに光取出位置に到達することになるため、受光素子１０６まで到達する漏洩光１０４の光量が殆ど減少することが無く、受光素子１０６で漏洩光１０４を効率的に受光することができる。
【００２２】
よって、光取出部１０５で取り出される漏洩光１０４の光量を少なくしても光伝送路１０２の通信状態を正確に確認することができるため、通信状態の確認に伴う光伝送路１０２の伝送損失を低減することが可能となる。
【００２３】
また、受光素子１０６の受光面積を小さくしても光伝送路１０２の通信状態を正確に確認することができるため、より受光面積が小さく低価格な受光素子１０６を使用することができ、通信光検知構造１００の構築に掛かる費用を低減することも可能となる。
【００２４】
ところが、フェルール１０３が非散乱材料からなる場合には、前述の通り、漏洩光１０４が散乱されずに光取出位置に到達することになるため、受光素子１０６を光取出位置に正確に位置調整して配置しなければ、受光素子１０６で漏洩光１０４を受光することが困難になる。
【００２５】
そのため、通信光検知構造１００では、フェルール１０３は、受光素子１０６を対向させた位置、即ち、光取出位置に光散乱部１０９を有している。これにより、光散乱部１０９で漏洩光１０４が四方八方に散乱されるため、受光素子１０６を光取出位置に厳密に位置調整して配置しなくても、受光素子１０６で漏洩光１０４を的確に受光することが可能となる。
【００２６】
また、通信光検知構造１００では、光散乱部１０９で漏洩光１０４が散乱されることになるが、従来技術に係る通信光検知構造２００とは異なり、受光素子１０６の直近まで漏洩光１０４がその光量を維持したまま到達するので、光散乱部１０９で漏洩光１０４が散乱されたとしても受光素子１０６まで到達する漏洩光１０４の光量は殆ど減少せず、結果的に、従来と比較して受光素子１０６まで到達する漏洩光１０４の光量を増加させることが可能となる。
【００２７】
なお、光散乱部１０９は、フェルール１０３の表面を粗面化して形成されている。例えば、フェルール１０３が石英ガラスからなる場合には、その表面をサンドペーパ等により磨りガラス状にして光散乱部１０９を形成すると良い。
【００２８】
しかしながら、光散乱部１０９は、これに限定されるものでは無く、例えば、フェルール１０３の表面に光散乱体を配置して形成されていても構わない。光散乱体としては、例えば、フェルール１０３の周囲に配置される円環状のものや、フェルール１０３の周囲に貼り付けられる薄膜状のものを使用することができる。
【００２９】
以上の通り、本発明によれば、光伝送路１０２の伝送損失を増加させること無く、受光素子１０６まで到達する漏洩光１０４の光量を増加させることが可能な通信光検知構造１００を提供することができる。
【００３０】
なお、通信光検知構造１００は、光コネクタの内部に内蔵しても良いし、光伝送路の途中に構築しても構わない。
【符号の説明】
【００３１】
１００  通信光検知構造
１０１  通信光
１０２  光伝送路
１０３  フェルール
１０４  漏洩光
１０５  光取出部
１０６  受光素子
１０７  コア
１０８  クラッド
１０９  光散乱部
【図１】
2015184426.tif 000003
【図２】
2015184426.tif 000004